(57)【要約】【課題】簡便なスイング矯正方法を提供する【解決手段】スイング者の腰にレ−ザ−マ−カ−を取付け、アドレス位置、右太もも締め完（右内転筋）、左太もも締め完（左内転筋）、光前進限、に対応する各位置に丸印が附して有る教示シ−トをスイング者の前に設置する。スイング者は、スイング過程で、前記レ−ザ−光を教示シ−ト上の各丸印を照射し、スイングをする。【選択図】図１
2008061985.tif 000002
【特許請求の範囲】
【請求項１】
スイング者の腰にレ−ザ−マ−カ−器を取付け、スイングの段階で需要な要素を示すアドレス位置、右太もも締め完、左太もも締め完、光前進限に対応する各位置に丸印が附して有る教示シ−トをスイング者の前に設置し、
スイング者は、前記レ−ザ−マ−カ−器からのレ−ザ−光による照射位置を、アドレス位置から右太もも締め完へ後退スイングを取り、振り下ろすとき左太もも締め完を経て光前進限へ順次段階照射するスイング矯正方法。
【発明の詳細な説明】
【技術分野】
【０００１】  本発明は、レ−ザ−照射を用いてスイング学習方法に関する。【０００２】  従来、スイング矯正器具として、例えばゴルフスイングとして、練習用の柔軟性ゴルフクラブを用いたり、手首の矯正器具等が販売されている。これらの矯正器具は、スイングの１部を矯正するもので有り、スイング全体を把握していない。即ち、これらの矯正器具は、動作の一部を学習するものであるので、スイング全体を矯正（習得）するには向いていない。
又、ゴルフスイングの学習器具としてとして、例えば、特開平１０−０７６０３９号広報が有る。この広報には、腰にレ−ザ−照射器具を取付け、スイングすることによって、そのレ−ザ−光の軌跡を用いて矯正するものである。【０００３】
【特許文献１】  特開平１０−０７６０３９号広報
【発明の開示】
【発明が解決しようとする課題】
【０００４】  スイングは種々の要素から成り立っており、これらを学習本や学習器具で習得することは、その本質が伝わらず、簡単な動作であっても、その特異性から学習者にとっては判りずらい。
そこで、本願は、かかる不都合を解消する為のスイング学習方法を提供するもので有る。
【課題を解決するための手段】
【０００５】  本願発明スイング矯正方法は、スイング者の腰にレ−ザ−マ−カ−器を取付け、スインの段階で需要な要素を示すアドレス位置、トップに相当する右太もも締め完、足の切替しに相当する左太もも締め完、打つ終了点に相当する光前進限に各丸印が附してあり、教示シ−トをスイング者の前に設置して行う。
スイング者は、前記レ−ザ−マ−カ−器からのレ−ザ−光による照射位置を、アドレス丸印から右太もも締め丸印に入れ、トップに至る。クラブを振り下ろす前に左太ももを締め、丸印に入れ、右足の体勢を造り、腕により打つ、光は進行限の丸印に至り、直角に曲がり完成に至る、このように各丸印内に順次止めながら分割スイングする。
以上のように、スイング過程に於いて、レ−ザ−光が教示シ−トに有る印の位置に留まるようスイングする事によってスイングが習得できる。
【発明の効果】
【０００６】  本願の発明は、レ−ザ−マ−カ−器と教示シ−トを用い、スイング過程に於いて、レ−ザ−光が教示シ−トに有る印に位置に留まるようスイングすることにより、容易にスイングの重要点を理解できる。
【発明を実施する為の最良の形態】
【０００７】  本発明を実施する為の最良の形態について、実施例に従い説明する。図１はゴルフスイングを例に取ったときの使用形態を示す図、図２〜図７はスイング開始から終了までを説明する図、図８は使用結果による考察する図、図９は身長による差を吸収する前後位置調整距離を示す図、図１０は野球のバッティング用の教示用シ−トの例を示す図である。
【０００８】  スイング者の前には、紙、布等で製作された教示シ−ト１が敷いてある。この教示シ−ト１には、スイング段階別に需要な要素を示すアドレス位置、右太もも締め完、左太もも締め完、光前進限に対応する各位置に丸印が附してある。
又、スイング者の腰には、レ−ザ−光を照射するレ−ザ−マ−カ−器が取り付けてある、尚、このレ−ザ−マ−カ−器は、例えば特開平１０−０７６０３９号広報に開示の照射器が相当する。
【０００９】  次に、図２〜図７を参照し、レ−ザ−マ−カ−器と教示シ−トを使用して、スイング矯正方法に付き説明する。
まずスイング者は、腰にレ−ザ−マ−カ−器を取付け、そのレ−ザ−マ−カ−器から照射すると共に、そのアドレス位置でゴルフクラブを握った姿勢を取る（図１）。尚、スイング者は、クラブ（道具）を必要としない、所謂、素振りのままで良い。
【００１０】  図２は、アドレスの状態を示し、アドレスの手の形を取ったとき、照射光をアドレス丸印内に合せスタ−トの準備をします。
【００１１】  図３は、トップの状態を示し、テ−クバックが完了した形を示します。
レ−ザ−マ−カ−器からのレ−ザ−光の照射位置は、拇指球で体重を受けつつ右太もも（右内転筋）を締めると右股関節を中心とする軸回転が発生し、軸回転は後退（背方向）しながら回転し、光は丸印内に留まる、腕は軸回転の追従に任せ自然に上昇する。
照射位置が通り過ぎる等円内に留まらないときは、試行錯誤し留まるよう照射させる。
【００１２】  図４は、切替しを示し、足を打つ状態に切替えます、腕は水平の状態まで来ます。
腕による打つ前に、左太もも（左内転筋）を締め、左太もも締め完の丸印まで照射光を引っ張ります、この形は図３の太もも締め丸印内に照射光が有ったときのみ腕が水平と成り有効と成ります。
【００１３】  図５は、インパクトの手と、照射光が蹴る線に切り替わったところを示します。
蹴る線と利き腕の打ちがここで一致します、ここで光の蹴りと利き腕の打ちが一致しませんとパワ−を発揮することが出来ません。
【００１４】  図６は、打つ手と、蹴る線が一致しボ−ル打つときの状態を示します。同期せず、光より手の方が早いときボ−ルは左の回転（フック回転）と成り、遅いとき右回転（スライス回転）と成ります、円内に留めるとき一致し同期して、右足蹴り線と成る状態を示します。
【００１５】  図７は、フィニッシュの状態を示します。
前項、図６の打つ手と蹴る足が一致したとき、照射光は光前進限の丸印にて一旦停止し、胴が捻れ、パワ−を吸収するフィニッシュ線と成り、高いフィニッシュの手を向かえスイングは完了します、前項円内に留まるとき、直角に曲がる照射光を示します。
【００１６】  図９は、教示シ−トスイングの結果によるテ−クバック線を例とし線ＡとＢを示します。
例Ａは、円内に留まったところを示す。体重が拇指球に乗り、スイングの需要を満たし、留まった状態を示す、これにより図４に進むことが出来ます。
例Ｂは、円内に留まらないところを示す。体重が拇指球に乗らず、照射光は後逸し、スイングの需要を満たせない、これにより図４に進むことは不可で有り試行を要する。
このように単に丸印に留まるか否かの判断により、テ−クバックの良否即ち、体重が乗っているか否かの判断ができ、スイングの要素が認識できる。
【００１７】  図８は、教示シ−トの身長差により丸印の停止距離が変わる、この為、スイング者の立つ位置を調整する遠近距離Ｌを以って指示をし、体格差を吸収できます。
【００１８】  図１０は、他のスポ−ツ例、野球用のバッティング教示シ−トを示す。
野球は打つ姿勢が異なる為、シ−トの内容は異なる。バッティングの構成要素は同様で有り、体重が乗る要素により、ヘッドスピ−ドが上がることはゴルフスイングと同様で有る。
他のスポ−ツ例として、ボ−ルを投げる野球用ピッチャ−、投擲競技の砲丸投げ、円盤投げ、やり投げ、ハンマ−投げ等が有り、他にテニスのスイング（片手両手共同じ）が有る、新しい競技として紙飛行機の滞空時間競技、水面に平面石を投げるバウンド回数競技等、これら物体を投げる或いは打つ競技には共通した高い身体能力を必要とし、その解析には、簡単で安価で有り判り易い。
【００１９】  教示シ−トの主たる目的は他者に運動を伝達する媒体で有る。言い換えれば運動の記録で有る、スポ−ツ運動の身体能力に優れた記録保持者の照射位置はどのようなもので有ったか、これら個人の記録デ−タ−とし、記録更新を目指す選手の後日の資料とし、選手の育成等後進の具体記録（通常と異なる可能性も有る為）と成る。
【００２０】  以上のように、本願発明は、レ−ザ−マ−カ−器と教示シ−トを用い、その教示シ−ト上にスイングの重要な箇所に丸印を附し、スイングの開始から終了まで、その丸印を照射するようにスイングをするという、簡単な方法によって、正確なスイングができ、又クラブ等道具を必要とせず、素振りの状態で矯正できる。
本願発明例は、ゴルフスイングを詳細例としたが、他の種々のスポ−ツにも適用できる。
【図面の簡単な説明】
【００２１】
【図１】本発明をゴルフスイングに適用した例を示す。
【図２】スイング矯正方法を説明する図であり、スイングの開始（アドレス）に於ける図。
【図３】スイング矯正方法を説明する図であり、テ−クバックを取りトップに至った図。
【図４】スイング矯正方法を説明する図であり、足を切替す図。
【図５】スイング矯正方法を説明する図であり、インパクトの図。
【図６】スイング矯正方法を説明する図であり、ボ−ルを打つところのフォロ−の図。
【図７】スイング矯正方法を説明する図であり、スイングが完了したフィニッシュの図。
【図８】使用結果を説明する例であり、テ−クバックとして、線Ａ及び線Ｂを示す図。
【図９】教示シ−ト使用時、身長差を吸収する遠近調節距離を示す図。
【図１０】教示シ−トの他のスポ−ツ適用例、野球用のバッティング教示シ−トを示す図。
【符号の説明】
【００２２】１  教示シ−ト
２  レ−ザ−マ−カ−
３  レ−ザ−照射線
４  腰ベルト
５  アドレス姿勢（スイング者）
【図１】
2008061985.tif 000003
【図２】
2008061985.tif 000004
【図３】
2008061985.tif 000005
【図４】
2008061985.tif 000006
【図５】
2008061985.tif 000007
【図６】
2008061985.tif 000008
【図７】
2008061985.tif 000009
【図８】
2008061985.tif 000010
【図９】
2008061985.tif 000011
【図１０】
2008061985.tif 000012